(57)【要約】【課題】スラブ高さの低い床スラブであっても床下に配線器具本体を収納可能であるうえ、使用状態において配線器具本体を堅固に固定できて破損し難く操作が容易な上下動型床用配線器具を提供する。【解決手段】開口部１０を有し床面に配設される取付プレート１と、開口部１０を開閉する蓋部２と、蓋部２とともに上下動する器具保持部３及び配線器具本体４とで主体が構成される配線器具である。取付プレート１の一端側に蓋部２の一端部を軸支するとともに、取付プレート１の他端側に器具保持部３の一端部を軸支する。蓋部２と器具保持部３のうちの一方に連動手段５として被係合部を設けるとともに、他方に前記被係合部内に摺動自在に係合されて被係合部側の変位に応じて所定位置に位置決めされる係合部を設けた。【選択図】        図１
2004187364.tif 000002
【特許請求の範囲】
【請求項１】
開口部を有し床面に配設される取付プレートと、取付プレートに上下動可能なよう配設されて開口部を開閉する蓋部と、取付プレートの開口部に配設されて蓋部とともに上下動する器具保持部と、器具保持部に保持される配線器具本体と、で主体が構成され、取付プレートの一端側に蓋部の一端部を軸支するとともに、蓋部の他端部を自由端として取付プレートの他端側に上下動自在となるように配設し、蓋部とは別体の器具保持部の一端部を取付プレートの前記蓋部の自由端が配設される側に軸支するとともに、器具保持部の他端部を取付プレートの前記蓋部の一端部が軸支される側に自由端として上下動自在となるように配設し、配線器具本体の床下への収納時に蓋部を下動して取付プレートの開口部を閉塞した際にこれに連動して器具保持部が下動して蓋部の下側に収納されて該器具保持部に取り付けられた配線器具本体の差込面が上向きに略水平となるとともに、配線器具の使用時に蓋部を上動した際にこれに連動して器具保持部が上動するような連動手段を設けた上下動型床用配線器具において、連動手段として蓋部と器具保持部のうちの一方に被係合部を設けるとともに、他方に前記被係合部内に摺動自在に係合されて被係合部側の変位に応じて所定位置に位置決めされる係合部を設けてなることを特徴とする上下動型床用配線器具。
【請求項２】
被係合部は長孔からなるとともに、係合部は長孔内を摺動する突部からなることを特徴とする請求項１記載の上下動型床用配線器具。
【請求項３】
被係合部は、蓋部の上下動に連動して器具保持部を上下動させるように係合部を誘導する誘導部と、蓋部が使用状態まで上動した際に係合部を位置決めする位置決め部と、を設けてなることを特徴とする請求項１又は２記載の上下動型床用配線器具。
【請求項４】
被係合部は、係合部を係止する係止部を設けてなることを特徴とする請求項３記載の上下動型床用配線器具。
【請求項５】
係合部及び被係合部を、使用状態において器具保持部の自由端が蓋部の略中間部に保持されるように形成してなることを特徴とする請求項１乃至４のいずれかに記載の上下動型床用配線器具。
【発明の詳細な説明】
【０００１】
【発明の属する技術分野】
本発明は、床面の収納用凹部に配設され、使用時に配線器具本体が床上に突出し、不使用時に配線器具本体が床下に収納可能な上下動型床用配線器具に関するものである。
【０００２】
【従来の技術】
従来より、使用時にコンセント等からなる配線器具本体４’が床上に突出するとともに、不使用時に配線器具本体４’を床下に収納可能な上下動型床用配線器具が用いられている（例えば特許文献１乃至６参照）。この従来の上下動型床用配線器具は、図１１に示すように、開口部１０’を有する取付プレート１’と、取付プレート１’の開口部１０’を開閉する蓋部２’と、蓋部２’とともに上下動する器具保持部３’とで主体が構成される。
【０００３】
取付プレート１’は、床面に凹設された収納用凹部の周縁の床上面に載置固定され、中央部に収納用凹部と床上とを連通する開口部１０’が形成してある。蓋部２’は、取付プレート１’の開口部１０’を閉塞可能な板状のもので、その一端部を取付プレート１’の一端側に軸支するとともに他端部を自由端２０’として回動自在としてあって、取付プレート１’の上側に蓋部２’が上下動自在となるようにして開口部１０’を開閉するものである。
【０００４】
蓋部２’の下面側には、器具保持部３’が固定される。器具保持部３’は、コンセント等の配線器具本体４’を保持可能なように枠状等に形成されるものであるが、形状としては様々なものがある。この器具保持部３’には、配線器具本体４’の差込面４０’が蓋部２’の自由端２０’付近から下側に該蓋部２’とほぼ直交する状態となるように固定される。
【０００５】
この従来の上下動型床用配線器具は、使用時には、蓋部２’を上動させることで蓋部２’の下面側に器具保持部３’を介して取り付けてある配線器具本体４’の差込面４０’を床上に突出させ、プラグ等の接続部を差し込んで配線器具本体４’を使用するものである。また、不使用時には、蓋部２’を下動させて取付プレート１’の開口部１０’を閉塞するとともに、配線器具本体４’を床下の収納用凹部に収納するものである。
【０００６】
このような従来の上下動型床用配線器具にあっては、配線器具本体４’は上述したように差込面４０’が蓋部２’とほぼ直交するように器具保持部３’を介して固定されるため、不使用時に蓋部２’を下動させて配線器具本体４’を床下の収納用凹部に収納した際、配線器具本体４’の差込面４０’の上下長さｈが長い場合には、差込面４０’の下端部（即ち、蓋部２’に取り付けられている端部と反対側の端部）が床下深くに位置することとなり、このように大きな差込面４０’を有する配線器具本体４’の場合には収納可能な収納用凹部を設けることができず、またスラブ高さの低い床スラブの場合にも収納用凹部を設けることが困難で、配線器具を配設することができないものであった。
【０００７】
そこで、蓋部２’と器具保持部３’とをそれぞれ取付プレート１’に回動自在に配設したものが考えられた（例えば特許文献７、特許文献８参照）。
【０００８】
このものは、蓋部２’と器具保持部３’とをそれぞれ取付プレート１’に回動自在に且つ上方にばね付勢した状態で配設してあり、使用時には蓋部２’と器具保持部３’とを上動して互いに対向するように斜め上方に起立した状態で上端部同士が係止して保持されるものである。
【０００９】
しかしながら、このような従来の上下動型床用配線器具は、蓋部２’と器具保持部３’は、ばね力にて上方に回動するものであるためばねが破損すると起立不可能となるものであった。また、使用状態における蓋部２’と器具保持部３’との係止は、器具保持部３’が上方に回動するのを規制するような係止であり、器具保持部３’が下方に回動するのを抑止するのはばね力であるため、プラグを器具保持部３’の差込面に差し込もうとすると器具保持部３’はばね力に抗して押し下げられてしまってプラグの差し込みがし難いものであり、また、プラグの差し込み方向への不測の力が加わると破損する惧れがあった。また更に、使用状態での器具保持部３’の支持は器具保持部３’の軸支部分のみで為されるため、プラグの差し込み方向への不測の力が加わったような場合には力がこの軸支部分に集中して特に破損し易いものであった。また、使用を終えて蓋部２’と器具保持部３’とを閉じようとする場合、蓋部２’と器具保持部３’とは連動していないため器具保持部３’を下動した後で蓋部２’を下動して閉じることとなり、操作が面倒であった。
【００１０】
【特許文献１】
実用新案登録第２５３２４３７号公報
【特許文献２】
特許第２８４２１３４号公報
【特許文献３】
特公平５−５４２２７号公報
【特許文献４】
特公平１−４０５７９号公報
【特許文献５】
特公平１−４０５８０号公報
【特許文献６】
特公昭６３−６４１２５号公報
【特許文献７】
特開昭５７−３６５２０号公報
【特許文献８】
特公昭５７−１６５１１号公報
【００１１】
【発明が解決しようとする課題】
本発明は上記の点に鑑みてなされたものであり、その目的とするところは、スラブ高さの低い床スラブであっても床下に配線器具本体を収納可能であるうえ、使用状態において配線器具本体を堅固に固定できて破損し難く操作が容易な上下動型床用配線器具を提供することを課題とするものである。
【００１２】
【課題を解決するための手段】
上記課題を解決するために本発明に係る上下動型床用配線器具は、開口部１０を有し床面に配設される取付プレート１と、取付プレート１に上下動可能なよう配設されて開口部１０を開閉する蓋部２と、取付プレート１の開口部１０に配設されて蓋部２とともに上下動する器具保持部３と、器具保持部３に保持される配線器具本体４と、で主体が構成され、取付プレート１の一端側に蓋部２の一端部を軸支するとともに、蓋部２の他端部を自由端２０として取付プレート１の他端側から上側に上下動自在となるように配設し、蓋部２とは別体の器具保持部３の一端部を取付プレート１の前記蓋部２の自由端２０が配設される側に軸支するとともに、器具保持部３の他端部を取付プレート１の前記蓋部２の一端部が軸支される側に自由端３０として上下動自在となるように配設し、配線器具本体４の床下への収納時に蓋部２を下動して取付プレート１の開口部１０を閉塞した際にこれに連動して器具保持部３が下動して蓋部２の下側に収納されて該器具保持部３に取り付けられた配線器具本体４の差込面４０が上向きに略水平となるとともに、配線器具の使用時に蓋部２を上動した際にこれに連動して器具保持部３が上動するような連動手段５を設けた上下動型床用配線器具において、連動手段５として蓋部２と器具保持部３のうちの一方に被係合部を設けるとともに、他方に前記被係合部内に摺動自在に係合されて被係合部側の変位に応じて所定位置に位置決めされる係合部を設けてなることを特徴とするものである。このような構成とすることで、床下への収納時に器具保持部３に取り付けられる配線器具本体４の差込面４０が上向きに略水平となって収納され、差込面４０の上下長さｈが長い場合でも差込面４０の下端部が床下深くに位置することがないため、床下深さを深くとることができないスラブ高さの低い床スラブであっても上下動型床用配線器具を配設することが可能となるうえに、蓋部２と器具保持部３とが連動するため操作が容易となるとともに、蓋部２と器具保持部３とが係合して連動しているため使用状態を堅固に保持するとともに破損し難いものとすることができる。
【００１３】
また、被係合部は長孔５１からなるとともに、係合部は長孔５１内を摺動する突部５２からなることが好ましい。このような構成とすることで、簡単な構成で係合部と被係合部を形成することができる。
【００１４】
また、被係合部は、蓋部２の上下動に連動して器具保持部３を上下動させるように係合部を誘導する誘導部５１ａと、蓋部２が使用状態まで上動した際に係合部を位置決めする位置決め部５１ｂと、を設けることが好ましい。このような構成とすることで、蓋部２と器具保持部３とを使用状態で保持することが可能となる。
【００１５】
また、被係合部は、係合部を係止する係止部５３を設けることが好ましい。このような構成とすることで、使用状態が不用意に解除されるのを防止することができる。
【００１６】
また、係合部及び被係合部を、使用状態において器具保持部３の自由端３０が蓋部２の略中間部に保持されるように形成することが好ましい。このような構成とすることで、使用時にプラグ６が差し込まれる配線器具本体４の差込面４０の上方を蓋部２の上半部が覆う状態となってプラグ６や配線器具本体４が保護される。
【００１７】
【発明の実施の形態】
以下、本発明を添付図面に示す実施形態に基づいて説明する。
【００１８】
本発明の上下動型床用配線器具は、図１に示すように、開口部１０を有する取付プレート１と、取付プレート１の開口部１０を開閉する蓋部２と、蓋部２とともに上下動する器具保持部３と、器具保持部３に取り付けられる配線器具本体４とで構成される。
【００１９】
取付プレート１は、図３に示すように、中央部に矩形状の開口部１０が形成される枠状のもので、本実施形態では、略正方形状をした板部材の中央部に矩形状の凹段部１１を凹設し、この凹段部１１の一端辺から小幅の部分を後述する情報用配線器具本体４ｂの取付部１２として残すとともに、凹段部１１の前記取付部１２以外の部分を開口して開口部１０を形成してある（図１参照）。この取付プレート１は、床面に凹設された収納用凹部の周縁の床上面に載置されて固定され、このとき開口部１０を介して収納用凹部と床上とが連通される。取付プレート１には、蓋部２と器具保持部３とが配設される。
【００２０】
蓋部２は、図１に示すように、取付プレート１の開口部１０を閉塞可能なように平面視において前記開口部１０とほぼ同じかそれより若干大きく形成される板状のもので、本実施形態では上述した凹段部１１（即ち開口部１０と情報用配線器具本体４ｂの取付部１２とを合わせた部分）と同じ形状に形成してあり、凹段部１１に嵌入した時に蓋部２の表面２ａ（即ち開口部１０を閉塞した時の上面）と取付プレート１の上面１ａとが面一となるように形成してある。蓋部２及び取付プレート１は、配線器具の不使用時には床面の一部となるため、床面として耐え得る強度を有するように形成されるもので、材質は金属、合成樹脂、木材等特に限定されない。
【００２１】
蓋部２には、対向する一対の端辺からそれぞれ側片２１が垂下してあり、この側片２１には後述する被係合部としての長孔５１が形成される。この蓋部２は、一端部が取付プレート１の一端側に軸支されるとともに、他端部が自由端２０として取付プレート１の他端側より上側に上下動自在となって（即ち軸支された部分を中心として回動自在となって）、蓋部２が上下動することで取付プレート１の開口部１０を開閉するものである。更に詳述すると、蓋部２は、取付プレート１の開口部１０の上記情報用配線器具本体４ｂの取付部１２が形成される端辺と隣接して直交する一端辺側に軸支される。蓋部２から垂下される側片２１は、開口部１０の情報用配線器具本体４ｂの取付部１２が形成される側の端辺とこれに対向する端辺とに対応する端辺からそれぞれ連設してあり、この両側片２１において軸支される側の側端部から軸支用片２３を側方に延設するとともに、この軸支用片２３に軸部２４を突設してある。一方、取付プレート１には、前記軸部２４に対応する部分（即ち蓋部２の一端部を軸支する側の端部）に軸受片１３を垂下するとともに、この軸受片１３に軸受孔１４を穿設してあり、蓋部２の軸部２４を取付プレート１の軸受孔１４に嵌入して回動自在に軸支してある。
【００２２】
このように蓋部２は、自由端２０を下動すると取付プレート１の凹段部１１に嵌まり込んで開口部１０を閉塞し、自由端２０を上動すると開口部１０が開口されるようになっている。蓋部２には、自由端２０に取付プレート１の開口部１０の縁部に係止可能な係止爪２２が設けてあり、一方、取付プレート１の前記係止爪２２に対応する部分には開口部１０内に向けて突没可能な係止片（図示せず）が操作部１７にて突没されるように形成してあり、蓋部２で開口部１０を閉塞した状態でロックすることができる。また、蓋部２は、図５の符号１８に示すばねにて上方に回動する向きに付勢してあり、操作部１７にて係止爪２２による係止を解除することで蓋部２及び器具保持部３が自動で開くようになっている。なお、このばね１８を設けずに手動で蓋部２を回動させてもよい。
【００２３】
配線器具本体４は、図１等に示すように、器具保持部３を介して取付プレート１に配設されるもので、コンセント等の電力用配線器具本体４ａと、モジュラジャック等の情報用配線器具本体４ｂとがあるが、以下において特に断わりがない場合には電力用配線器具本体４ａを指すものとする。電力用配線器具本体４ａは、栓刃が突出したプラグ６が差し込まれるコンセント４ａ１（図６参照）や、ソケットが差し込まれるコンセント４ａ２（図７参照）等特に限定されず、また、スイッチ４１が付加されていてもよい（図６参照）。情報用配線器具本体４ｂは、後述するが、情報用器具保持部７３を介して取付プレート１の取付部１２に取り付けられる。電力用配線器具本体４ａは、以下に説明する器具保持部３を介して配設される。
【００２４】
器具保持部３は、図１に示すように、蓋部２とは別体に形成され、中央部にコンセント等の配線器具本体４（４ａ）を保持するもので、形状は板状のものやロ字形等をした枠状のもの等、特に限定されない。配線器具本体４（４ａ）は器具保持部３内に嵌まり込み、差込面４０が上向きに露出可能となる。そして器具保持部３は、一端部を取付プレート１の上記蓋部２の自由端２０が配設される側に軸支するとともに、他端部を取付プレート１の上記蓋部２が軸支される側に自由端２０として配設するものである。更に詳述すると、器具保持部３には、蓋部２の自由端２０が配設される側の端辺部の両側に軸部（特に図示せず）が突設してあり、一方、取付プレート１には、前記器具保持部３に突設した軸部に対応する部分に軸受片（特に図示せず）を垂下するとともに、この軸受片に軸受孔（特に図示せず）を穿設してあって、蓋部２と同様にして器具保持部３の軸部を取付プレート１の前記軸受孔に嵌入して回動自在に軸支したものである。
【００２５】
このように、蓋部２と器具保持部３は、取付プレート１の対向する端部にそれぞれ軸支されて上下動自在となっているが、蓋部２と器具保持部３の上下動は連動手段５によって連動するもので、以下に説明する。
【００２６】
連動手段５は、蓋部２と器具保持部３のうち、一方に被係合部を設けるとともに、他方に被係合部内に摺動自在に係合されて被係合部側の変位に応じて所定位置に位置決めされる係合部を設けて構成するもので、本実施形態では、図１に示すように、被係合部として長孔５１を形成するとともに、係合部として長孔５１内を摺動する突部５２を形成してある。
【００２７】
被係合部としての長孔５１は、図４，図５に示すように、蓋部２の側片２１にそれぞれ形成してあり、蓋部２の表面２ａとほぼ平行となる直線状の誘導部５１ａと、誘導部５１ａから連設される位置決め部５１ｂとからなる。誘導部５１ａは、側片２１の軸支側の端部近傍から自由端２０側に向けて形成されるもので、本実施形態では自由端２０側の端部は側片２１の略中間部に位置している。また、位置決め部５１ｂは、誘導部５１ａから下側（即ち、蓋部２の表面２ａから離れる側）に連設されるもので、本実施形態では誘導部５１ａの自由端２０側の端部から軸支側の斜め下方に向けて連設される。一方、係合部としての突部５２は、器具保持部３の自由端３０側の端辺の両側に突設してあり、この突部５２が蓋部２の長孔５１にそれぞれ挿入してある。
【００２８】
なお、本願のように長孔５１を側片２１を貫通して形成してあると、長孔５１への突部５２の係合状態が外側より視認できて好ましいのであるが、側片２１の内側を凹設して長溝としてあってもよいものである。またなお、このような係合部と被係合部は、一方が蓋部２に且つ他方が器具保持部３設けてあればよいものである。
【００２９】
連動手段５による動作について説明する。図２または図５（ｃ）に示すように、蓋部２が下動した状態では、器具保持部３の突部５２は長孔５１の誘導部５１ａの軸支されている側の端部近傍に位置することとなって、器具保持部３の突部５２が設けてある自由端３０は下動されて蓋部２の下側に収納され、器具保持部３に取り付けられた配線器具本体４（４ａ）の差込面４０が上向きに略水平となる（以下、この状態を収納状態とする）。
【００３０】
次に、上記収納状態から図５（ｂ）に示すように蓋部２を上動していくと、蓋部２の変位に伴って長孔５１も軸支部分を中心に自由端２０側の端部が上方に回動して変位していく。このとき、長孔５１内に挿入されている器具保持部３の突部５２は長孔５１によって押し上げられることとなって、長孔５１の変位に応じてその内部での突部５２の係合位置が位置決めされる。
【００３１】
そして、図５（ａ）に示すように蓋部２を所定の位置まで変位させたとき、器具保持部３の突部５２は長孔５１の誘導部５１ａの自由端２０側の端部にまで移動し、器具保持部３の自重によって位置決め部５１ｂへと下降する。蓋部２の回動は突部５２が位置決め部５１ｂの側壁に当接して規制され、この状態（即ち使用状態）にて蓋部２及び器具保持部３が保持される。この使用状態では、図５（ａ）に示すように器具保持部３に取り付けられた配線器具本体４（４ａ）の差込面４０が斜め上方を向くため、プラグ６を差し込み難い机の下等に設置された場合でも、差込面４０が見えて差し込み易く、床上にこぼれた水分等が配線器具に浸入し難いとともに、位置決め部５１ｂを誘導部５１ａから下側に向けて連設してあるため、プラグ６の差込面４０への差し込み方向が位置決め部５１ｂの連設方向と同じとなり、プラグ６を差込面４０に差し込む際に配線器具本体４に下向きの差し込み力が加わっても突部５２が位置決め部５１ｂの底部にて支持されて器具保持部３が下方に押し下げられてしまうことがなく、プラグ６の差し込みがし易いとともに、プラグ６の差し込み方向への不測の力が加わっても破損し難い。また、器具保持部３の支持が器具保持部３の軸支部分と係合部及び被係合部の係合部分とで行われるため、器具保持部３の軸支部分に力が集中せず分散させることができて、一層破損し難くすることができる。
【００３２】
また、誘導部５１ａの自由端２０側の端部を側片２１の両端部間の途中（特に本実施形態では略中間部）に位置させているため、差込面４０の上方を蓋部２の上半部が覆う状態となって、プラグ６や配線器具本体４が上方から踏み付けられるのを防止してプラグ６、配線器具本体４を保護することができる。
【００３３】
更に本実施形態では、図４に示すように、長孔５１の位置決め部５１ｂに係止部５３が設けてある。係止部５３は、長孔５１の誘導部５１ａから位置決め部５１ｂへと落下した突部５２が容易に誘導部５１ａへ戻されてしまうことがないように、位置決め部５１ｂの下端部から蓋部２の軸支側に切欠して形成してある。このようにすることで、使用状態において蓋部２と器具保持部３とがともに自重で下動しようとする際に突部５２が係止部５３に嵌まり込んで係止されて（図４（ａ）参照）、使用状態を確実に保持することができる。また、床上の歩行者が蓋部２を踏み付けたり蹴躓いたりして蓋部２の表面２ａに下方側への力が加わっても使用状態が不用意に解除されるのを防止することができるとともに、前記のように力が加わった場合でもプラグ６や配線器具本体４が破壊されるのを防止できて安全性を確保することができる。また、配線器具本体４にスイッチ４１が付加してあるものにあってはスイッチ４１が誤ってＯＮ、ＯＦＦされるのを防止できる。
【００３４】
使用状態から収納状態とするには、蓋部２と器具保持部３とを手で掴んで係止部５３に係止されている突部５２を位置決め部５１ｂを介して誘導部５１ａへと戻し、蓋部２を下動すると突部５２が誘導部５１ａにて誘導されて器具保持部３も連動して下動し、配線器具本体４が床面の収納用凹部に収納されることとなる。このとき、蓋部２と器具保持部３とは係合部及び被係合部にて係合された状態で連動しているため、蓋部２を下動するだけて器具保持部３が下動されて操作が容易である。
【００３５】
上述したように、蓋部２と器具保持部３とが連動手段５によって連動するため、配線器具本体４（４ａ）の収納時において、器具保持部３が蓋部２の下側に略水平に位置することとなって、器具保持部３に取り付けられる配線器具本体４（４ａ）がその差込面４０が上向きに略水平となって収納されるため、差込面４０の上下長さｈが長い場合でも従来例のように差込面４０の下端部が床下深くに位置することがなく、床下深さは配線器具本体４（４ａ）の差込面４０から裏面側の厚みに依存するのみとなり、スラブ高さの低い床スラブであっても従来より浅い収納用凹部を設けるだけで上下動型床用配線器具を配設することが可能となり、本発明においては特に、被係合部及び、該被係合部内に摺動自在に係合されて被係合部側の変位に応じて所定位置に位置決めされる係合部にて連動手段を構成してあるため、操作が容易となるとともに、使用状態を堅固に保持することができて且つ破損し難い。
【００３６】
このような上下動型床用配線器具は、配線器具本体４のうち特に電力用配線器具本体４ａの差込面４０の上下長さｈが長いため器具保持部３に取り付けて上下動自在とするもので、配線器具本体４のうち情報用配線器具本体４ｂにあっては、差込面４０が小さいため上下動させる必要がないうえに、電力用配線器具本体４ａのものと比べて情報用配線器具本体４ｂ自体や、裏面側に接続されるリード線等が破損し易いため、取付プレート１に固定して非可動とする方が望ましいものである。
【００３７】
情報用配線器具本体４ｂは、図２に示すように、取付プレート１の凹段部１１に形成した取付部１２に情報用器具保持部７３を介して取り付けられる。情報用器具保持部７３は、図１０に示すように、上方に開口する略コ字状をした本体７１と、本体７１の両方の上端部から外側に連設される取付鍔部７２とからなり、本体７１の底部には情報用配線器具本体４ｂが取り付けられる開口部７３が形成してある。この情報用器具保持部７３は、取付鍔部７２に穿設してある固着孔を介してねじ等の固着具７５にて取付プレート１の凹段部１１に形成した取付部１２の下面側に取り付けられ、情報用配線器具本体４ｂの差込面を取付プレート１の開口部１０より露出させるものである。
【００３８】
情報用配線器具本体４ｂとしては、モジュラジャック接続部４ｂ１（図８（ａ）参照）や、ＢＮＣケーブル等の接続部４ｂ２など特に限定されず、様々なものが付け替え自在に取り付けてある。
【００３９】
このように、情報用配線器具本体４ｂを取付プレート１に固定することで、情報用配線器具本体４ｂを蓋部２と連動することによる情報用配線器具本体４ｂ自体やリード線等が破損するのを防止することができる。
【００４０】
なお、図９に示すように、情報用配線器具本体４ｂを設けないものであってもよい。この場合、取付プレート１に情報用配線器具本体４ｂの取付部１２を設ける必要がなく、上下動型配線器具の小型化が図られるものである。
【００４１】
【発明の効果】
上記のように本発明の請求項１記載の発明にあっては、連動手段として蓋部と器具保持部のうちの一方に被係合部を設けるとともに、他方に前記被係合部内に摺動自在に係合されて被係合部側の変位に応じて所定位置に位置決めされる係合部を設けたので、器具保持部に取り付けられる配線器具本体の差込面の上下長さが長い場合でもスラブ高さの低い床スラブに上下動型床用配線器具を配設することが可能となるうえに、蓋部と器具保持部とが連動するため操作が容易となるとともに、蓋部と器具保持部とが係合して連動しているため使用状態を堅固に保持するとともに破損し難いものとすることができる。
【００４２】
また請求項２記載の発明にあっては、上記請求項１記載の発明の効果に加えて、被係合部は長孔からなるとともに、係合部は長孔内を摺動する突部からなるので、簡単な構成で係合部と被係合部を形成することができる。
【００４３】
また請求項３記載の発明にあっては、上記請求項１又は２記載の発明の効果に加えて、被係合部は、蓋部の上下動に連動して器具保持部を上下動させるように係合部を誘導する誘導部と、蓋部が使用状態まで上動した際に係合部を位置決めする位置決め部と、を設けてなるので、蓋部と器具保持部とを使用状態で保持することが可能となる。
【００４４】
また請求項４記載の発明にあっては、上記請求項３記載の発明の効果に加えて、被係合部は、係合部を係止する係止部を設けてなるので、使用状態が不用意に解除されるのを防止することができる。
【００４５】
また請求項５記載の発明にあっては、係合部及び被係合部を、使用状態において器具保持部の自由端が蓋部の略中間部に保持されるように形成したので、使用時にプラグ等が差し込まれる器具保持部の差込面の上方を蓋部の上半部が覆う状態となってプラグや配線器具本体が保護される。
【図面の簡単な説明】
【図１】本発明の一実施形態の使用状態における斜視図である。
【図２】同上の実施形態の不使用（収納）状態を示し、（ａ）は蓋部を透視した平面図であり、（ｂ）は側面図である。
【図３】同上の斜視図である。
【図４】（ａ）（ｂ）は同上の実施形態において突部が挿入された長孔の斜視図である。
【図５】（ａ）（ｂ）（ｃ）は同上の実施形態における蓋部と器具保持部の開閉を説明する側面図である。
【図６】（ａ）（ｂ）は同上の実施形態においてプラグの差込状態を説明する斜視図である。
【図７】同上の実施形態において他の電力用配線器具本体を取り付けた例の斜視図である。
【図８】（ａ）（ｂ）は同上の実施形態において情報用配線器具本体を取り付けた状態を説明する要部拡大図である。
【図９】（ａ）（ｂ）は同上の実施形態において情報用配線器具本体を設けない例の斜視図である。
【図１０】情報用器具保持部を示し、（ａ）は側面図であり、（ｂ）は平面図であり、（ｃ）は正面図である。
【図１１】従来の上下動型床用配線器具を示し、（ａ）は斜視図であり、（ｂ）は側面図である。
【符号の説明】
１    取付プレート
１０  開口部
２    蓋部
２０  自由端
３    器具保持部
３０  自由端
４    配線器具本体
５    連動手段
【図１】
2004187364.tif 000003
【図２】
2004187364.tif 000004
【図３】
2004187364.tif 000005
【図４】
2004187364.tif 000006
【図５】
2004187364.tif 000007
【図６】
2004187364.tif 000008
【図７】
2004187364.tif 000009
【図８】
2004187364.tif 000010
【図９】
2004187364.tif 000011
【図１０】
2004187364.tif 000012
【図１１】
2004187364.tif 000013